(57)【要約】【課題】地図上の任意の地点を確実且つ迅速に拡大表示することが可能であり、操作性に優れた地図表示装置及びそれを用いたナビゲーションシステムを提供する。【解決手段】スクロールマーク表示部２１は、タッチパネル上の任意地点に対しユーザーがタッチすると、入力部１１からタッチ信号を受け取り、この地点に前記スクロールマーク２５を表示する。スクロール処理部２０は、スクロールマーク２５が表示された場合、これを表示部１０の中心に移動させるスクロール処理を行う。拡大縮小表示処理部２２は、ユーザー操作がタッチパネルに対するダブルクリック操作であると判断した場合に、ダブルクリックされた地点を中心にして地図の拡大表示を行う。【選択図】図２
2011141340.tif 000002
【特許請求の範囲】
【請求項１】
地図を表示するための表示部が設けられ、前記表示部にはタッチパネル部が設置されると共に、前記地図のスクロール処理を行うスクロール処理手段と、前記地図を拡大又は縮小して前記表示部に表示する拡大縮小表示処理手段とが配置された地図表示装置において、
ユーザーが前記タッチパネル上の任意の地点をタッチ又はダブルクリックすると、当該地点にスクロールマークを表示するスクロールマーク表示手段が設けられ、
前記スクロール処理手段は、前記スクロールマークを前記表示部の中心に移動させるスクロール処理を行うように構成され、
さらにユーザーが前記タッチパネル上の任意の地点をダブルクリックすると、前記拡大縮小表示処理手段は、ダブルクリックされた地点を中心にして当該地点を含む所定の範囲の前記地図を、拡大表示するように構成されたことを特徴とする地図表示装置。
【請求項２】
前記スクロールマークは、複数の矢印マークから構成されたことを特徴とする請求項１に記載の地図表示装置。
【請求項３】
前記拡大縮小表示処理手段は前記地図の拡大率を設定可能に構成されたことを特徴とする請求項１又は２に記載の地図表示装置。
【請求項４】
前記タッチパネル上の任意地点に設定された地点情報を格納する地点情報格納手段と、
前記拡大縮小表示処理手段による前記地図の拡大表示に際して、拡大表示された前記地図上に前記地点情報が存在する時、当該地点情報を前記表示部に表示する地点情報表示手段、が設けられたことを特徴とする請求項１〜３のいずれか１項に記載の地図表示装置。
【請求項５】
請求項１〜４のいずれか１項に記載の地図表示装置を組み込んだことを特徴とするナビゲーションシステム。
【発明の詳細な説明】
【技術分野】
【０００１】
本発明は、車載用等のナビゲーションシステムにおける地図表示技術に係り、特に、地図の拡大縮小処理操作に改良を加えた地図表示装置及びそれを用いたナビゲーションシステムに関するものである。
【背景技術】
【０００２】
一般に、車載用等のナビゲーションシステムでは、良好な操作性を確保する観点から、タッチパネル方式の液晶ディスプレイが採用されている。タッチパネル方式の液晶ディスプレイは、ディスプレイ部分が地図上に誘導経路やアイコン等を表示する表示部となり、タッチパネル部分がユーザーによる操作指令の入力部となる。
【０００３】
つまり、タッチパネル方式の液晶ディスプレイはナビゲーションシステムの中で、地図表示装置の役割を果たしている。地図表示装置に関して、ユーザーの行う処理としては、地図のスクロールと、地図の拡大縮小表示が代表的である。タッチパネルでは、地点検索に際してユーザーが指をタッチパネルに滑らせることで地図のスクロールを行っている。
【０００４】
また、地図の拡大縮小表示は通常、詳細ボタンまたは広域ボタンの押圧操作により行われている。詳細ボタンは、表示されていた地図の一部を拡大して、縮尺の小さい詳細地図を表示するための操作ボタンである。一方、広域ボタンは、表示されていた地図を縮小して、縮尺の大きい広域地図を表示するための操作ボタンである。地図の拡大縮小は多段階に設定されており、各操作ボタンを押した回数分だけ、地図の拡大あるいは縮小が行われる。これらの操作ボタンは、タッチパネル上に表示されている場合もあれば、タッチパネル以外の部分にハードボタンとして配置されている場合もある。
【０００５】
このような地図の拡大縮小表示は、地図表示装置における最も基本的な機能の１つである。特に、地図の拡大表示は、所望地点の詳しい地理をユーザーが把握しようとする場合に、必ず行うと言って良いほど使用頻度が高い。そのため、地図表示装置では、地図の拡大表示を行う場合の操作性を高めることが重要となっている。
【０００６】
例えば、先に表示画面の中から所望の地点を見つけ、その地点を表示画面の中央付近にまでスクロールしてから、拡大ボタンを操作する地図表示技術が提案されている。また、特許文献１の技術では、ユーザーが詳細ボタンを押すのではなく、タッチパネル上の任意の地点を長押しすることにより、その地点を中心にして地図を拡大表示することが可能となっている。つまり、特許文献１は、任意の地点に対する長押し操作を行うことで、ユーザーが実施しようとする処理が地図の拡大表示処理であることを判断し、ユーザーがタッチパネルに指を滑られて行うスクロール処理の際のタッチ操作と、明確に区別するようになっている。
【０００７】
さらに、特許文献２の地図表示装置では、タッチパネル上の任意の地点に対しユーザーが短押し操作を行うことで、その地点を中心として地図の拡大表示を行うようになっている。この場合、短押し操作つまりシングルクリックを行うことでスピーディに地図を拡大表示することができるが、ユーザーがタッチパネルに間違って触れただけで、地図の拡大表示が実行されてしまうという不都合がある。
【０００８】
そこで特許文献２では、地図を拡大するか、あるいはスクロールするかを切り換える切換ボタンを備えておき、この切換ボタンを操作することで、一方の処理だけを有効にしている。つまり、地図の拡大処理を有効とするように切換ボタンを操作した場合には、スクロール処理を無効とする。反対に、スクロール処理を有効とした場合には、地図の拡大処理を無効とする。これにより、ユーザーの意志を反映した操作が的確に実施可能となる。
【先行技術文献】
【特許文献】
【０００９】
【特許文献１】特開平９−５０２３５号公報
【特許文献２】特開２００７−１４７７２３号公報
【発明の概要】
【発明が解決しようとする課題】
【００１０】
上述した従来の地図表示装置には、次のような問題点があった。すなわち、任意の地点に対する長押し操作を行う特許文献１では、タッチパネル上にユーザーが触れた状態を所定時間継続しないと、地図が拡大表示されない。このため、ＰＣなどでスピーディな処理に慣れているユーザーにとっては、地図が拡大されるまでの時間が長く感じられてストレスとなっていた。
【００１１】
また、特許文献２では、シングルクリックを行う前に切換ボタンを操作しておかなくてはならず、操作が面倒である。しかも、ユーザーによるシングルクリックの方向や強さによっては、この操作でスクロール処理を行ってしまうことがある。このとき、ユーザーはシングルクリック操作により地図が拡大表示されると思い込んでいるので、突然画面がスクロールすると、ユーザー自身が見つけた拡大希望地点を見失う可能性が高かった。  
【００１２】
また、先に表示画面の中から所望の地点を見つけ、その地点を表示画面の中央付近にまでスクロールしてから、それから拡大ボタンを操作するといった地図表示技術でも、ユーザーは、スクロール操作とボタン操作という２段階の操作を強いられることになる。したがって、操作が面倒であることに変わりは無かった。
【００１３】
本発明は、上記の問題点を解消するために提案されたものであり、その目的は、地図上の任意の地点を確実且つ迅速に拡大表示することが可能であり、操作性に優れた地図表示装置及びそれを用いたナビゲーションシステムを提供することにある。
【課題を解決するための手段】
【００１４】
上記目的を達成するために、本発明は、地図を表示するための表示部が設けられ、前記表示部にはタッチパネル部が設置されると共に、前記地図のスクロール処理を行うスクロール処理手段と、前記地図を拡大又は縮小して前記表示部に表示する拡大縮小表示処理手段とが配置された地図表示装置において、次のような特徴を有している。
【００１５】
請求項１の発明は、ユーザーが前記タッチパネル上の任意の地点をタッチ又はダブルクリックすると、当該地点にスクロールマークを表示するスクロールマーク表示手段が設けられ、前記スクロール処理手段は、前記スクロールマークを前記表示部の中心に移動させるスクロール処理を行うように構成され、さらにユーザーが前記タッチパネル上の任意の地点をダブルクリックすると、前記拡大縮小表示処理手段はダブルクリックされた地点を中心にして当該地点を含む所定の範囲の前記地図を拡大表示するように構成されたことを特徴としている。
【００１６】
以上の請求項１の発明において、タッチパネル上の任意の地点に対しユーザーがタッチ又はダブルクリックした時点で、スクロールマーク表示手段が当該地点にスクロールマークを表示する。スクロールマークが表示されると、スクロール処理手段はスクロールマークを表示部の中心に移動させるように地図のスクロール処理を行う。さらにユーザーが前記タッチパネル上の任意の地点をダブルクリックした時点で、拡大縮小表示処理手段がダブルクリックされた地点を含む地図を拡大表示する。
【００１７】
すなわち、本発明では、ユーザーがタッチパネル上の任意地点へのタッチ操作又はダブルクリック操作を行うことで、スクロールマークが表示されると共に、このスクロールマークを表示画面中心に移動させる地図のスクロール処理が実施される。そして、ユーザーによるダブルクリック操作が完了した時点で地図が拡大表示される。したがって、地図の拡大表示に際して、拡大ボタン等の押圧操作や、ユーザー自身によるスクロール操作が不要であり、使い勝手が良好である。
【００１８】
なお、ダブルクリック操作ではなく、タッチ操作によってもスクロールマーク表示手段がスクロールマークを表示可能である。この場合には、スクロール処理手段はスクロールマークを表示画面中心に移動させるようにスクロール処理を行う。このような状態で、ユーザーがスクロールマークにダブルクリック操作を行うと、次のようなメリットを得ることができる。すなわち、ユーザーは、タッチ操作により表示されたスクロールマークを見ながら、ユーザーが拡大したい地点をスクロールマークによって確認しつつ、ダブルクリック操作を行うことができる。
【００１９】
したがって、ユーザーが走行中の車内のような不安定な操作環境にいるとしても、落ち着いてダブルクリック操作を実施可能であり、操作の安定化を図ることができる。また、仮にユーザーの目指す地点から外れて最初のタッチ操作がなされていたとしても、スクロールマークの表示位置を目安としながら、拡大表示を希望する地点に対して正確なダブルクリック操作を行うことができる。
【００２０】
請求項２の発明は、請求項１に記載の地図表示装置において、前記スクロールマークは、複数の矢印マークから構成されたことを特徴とするものである。上記請求項２の発明では、スクロールマークの矢印マークをスクロール方向に対応させて表示することで直感的なスクロール操作が可能となり、操作性の向上に寄与することができる。しかも、ユーザーがダブルクリック操作を行う地点について、これを囲むようにして矢印マークを表示することができる。したがって、ユーザーは操作対象を「点」ではなく、広さを持つ「面」として意識することができ、ダブルクリックを行い易いといったメリットがある。
【００２１】
請求項３の発明は、請求項１又は２に記載の地図表示装置において、前記拡大縮小表示処理手段は前記地図の拡大率を設定可能に構成されたことを特徴とする。このような請求項３の発明では、地図の拡大率を自由に変更することができるので、ユーザーの好みやニーズに応じて、地図表示のカスタマイズ化を進めることができる。
【００２２】
請求項４の発明は、請求項１〜３のいずれか１項に記載の地図表示装置において、前記タッチパネル上の任意地点に設定された地点情報を格納する地点情報格納手段と、前記拡大縮小表示処理手段による前記地図の拡大表示に際して、拡大表示された前記地図上に前記地点情報が存在する時、当該地点情報を前記表示部に表示する地点情報表示手段、が設けられたことを特徴とする。
【００２３】
以上のような請求項４の発明では、ユーザーのダブルクリック操作により拡大縮小表示処理手段が地図の拡大表示を実施した時、拡大表示された地図上に地点情報が存在する場合には、その地点情報について、地図の拡大と同時に自動的に表示することができる。このため、一定以上に地図を拡大した時、その地図上に地点情報が存在するならば、ユーザーはダブルクリックした地点近傍の地点情報を迅速に把握することが可能となる。
【００２４】
請求項５の発明は、請求項１〜４のいずれか１項に記載の地図表示装置を組み込んだナビゲーションシステムである。したがって、地図表示装置やユーザーに振動が加わるとしても、地図の拡大表示処理を安定して実施可能なナビゲーションシステムを提供することができる。
【発明の効果】
【００２５】
本発明の地図表示装置及びナビゲーションシステムによれば、ユーザーが任意の地点をダブルクリックすることにより、確実且つ迅速に地図を拡大表示することができ、操作性の向上を図ることができる。
【図面の簡単な説明】
【００２６】
【図１】本発明に係る代表的な実施形態の構成図。
【図２】本実施形態の要部構成図。
【図３】本実施形態による地図拡大表示処理のフローチャート。
【図４】本実施形態の表示画面の説明図。
【図５】本実施形態の表示画面の説明図。
【図６】本実施形態の表示画面の説明図。
【図７】本実施形態の表示画面の説明図。
【図８】本実施形態による地点情報表示処理のフローチャート。
【図９】本実施形態の表示画面の説明図。
【図１０】本実施形態の表示画面の説明図。
【図１１】本発明に係る他の実施形態における表示画面の説明図。
【図１２】本発明に係る他の実施形態における表示画面の説明図。
【図１３】本発明に係る他の実施形態における表示画面の説明図。
【図１４】本発明に係る他の実施形態における表示画面の説明図。
【発明を実施するための形態】
【００２７】
以下、本発明に係る実施形態の一例について、図１〜図１０を参照して具体的に説明する。図１は本実施形態における各機能を実現する仮想的回路ブロックの構成図、図２は本実施形態の要部における仮想的回路ブロックの構成図、図３は地図拡大表示処理のフローチャート、図８は地点情報表示処理のフローチャート、図４〜図７及び図９、図１０は本実施形態の表示画面の説明図である。
【００２８】
本実施形態は、車載用等のナビゲーションシステムに組み込まれる地図表示装置であって、タッチパネル方式の液晶パネルからなる。この液晶パネルがナビゲーションシステムにおける表示部１０及び操作指令の入力部１１として機能する。本実施形態の特徴は、タッチパネル上に表示された任意の地点に対し、ユーザーがダブルクリック操作を行うと、その地点にスクロールマークを表示すると共に、表示位置がクリックした位置に移動し、さらに地図の拡大表示を行う点にある。
【００２９】
本実施形態ではタッチパネル方式を採用しているので、ダブルクリック操作は、所定時間以内にユーザーが指等で２回、タッチパネルをたたくことで成立する。これに対してユーザーが指等でタッチパネルを触る操作を、タッチ操作とする。ユーザーが指等で１回タッチパネルをたたくシングルクリック操作（短押し操作）もタッチ操作に含むものとする。
【００３０】
また、タッチパネルにおける操作としてはスクロール操作がある。これはユーザーがタッチパネル上に指等を滑らせることで表示画面をスクロールさせる操作である。なお、ナビゲーションシステムは、周辺装置を備えたコンピュータをプログラムにより制御することで実現するが、この場合のハードウェアやプログラムの実現態様は各種変更可能であり、経路誘導に際しての経路計算アルゴリズムも適宜選択自由である。
【００３１】
（１）ナビゲーションシステムの概略
まず本実施形態を適用したナビゲーションシステムの概略について、図１の仮想的回路ブロック図を用いて説明する。ただし、本実施形態は地図表示装置に関するものなので、目的地までの誘導案内を行うナビゲーション機能を実現する構成、例えば、自車位置の検出手段である絶対位置方位検出部１、相対方位検出部２、車速検出部３に関しては、図１に示すだけにとどめ、詳しい説明は省略する。
【００３２】
図１に示すように、ナビゲーションシステムにはシステムの制御手段としてメインＣＰＵ及びその周辺回路４が設けられている。メインＣＰＵ及びその周辺回路４には、各種プログラムの作用によって所定の役割を果たす仮想的回路が種々組み込まれる。また、メインＣＰＵ及びその周辺回路４には、ナビゲーションプログラムを格納するＲＯＭ５や、プログラムが展開されるＤＲＡＭ６、ＳＲＡＭ７、ＶＲＡＭ８といった記憶手段が接続されている。
【００３３】
さらに、メインＣＰＵ及びその周辺回路４には、ユーザーインターフェース部９を介して表示部１０と入力部１１が接続されている。表示部１０及び入力部１１は、内部に組み込まれたＩ／Ｏ制御回路やデバイスドライバなどを使って、メインＣＰＵ及びその周辺回路４との間で信号のやり取りを行うようになっている。
【００３４】
これら表示部１０及び入力部１１が、本実施形態に係る地図表示装置を構成するものであって、具体的にはタッチパネル式の液晶ディスプレイからなる。より詳しくは、表示部１０は、液晶ディスプレイの表示画面であり、画面上には、地図や経路、操作メニュー、検索リスト及び地点情報など各種の情報が視覚的に提示される。なお、液晶ディスプレイには合成音声の出力部としてスピーカーが組み込まれている。
【００３５】
表示部１０において表示される地点情報には、具体的には次のようなものがある。すなわち、各地点の座標、名称、種類、住所、電話番号等の検索リスト用のデータ、その地点が接している道路の種別等も含まれている。また、地点情報としては、ガソリンスタンドや飲食店、宿泊施設等の施設情報、天気情報やイベント情報等がある。
【００３６】
また、表示部１０では、上記地点情報に対応する地点情報マーク２８として、ランドマークやアイコン、地点情報の名称表示等により表示される。さらに、表示部１０では、ナビゲーションプログラムに必要なインタフェース用のデータとして、メニュー、リスト、ボタン、案内表示（方位、距離、時刻を含む）、現在位置、走行軌跡等の各種マークが表示される。
【００３７】
また、本実施形態における特徴的な表示用のマークとして、スクロールマーク２５（図５〜図７参照）がある。このスクロールマーク２５は、表示される地図がスクロール処理可能であるスクロールモードとなっていることを示すマークであって、中心に位置する十字形のカーソルと、スクロール方向を示す８方向（地図上では東西南北と北東、北西、南東、南西に当たる）への矢印マークとが組み合わされて構成されている。なお、上記のスクロールマークのデザインは適宜変更可能である。
【００３８】
入力部１１は、主として、ユーザーによるタッチ操作やスクロール操作を受け付けるタッチパネルから構成される。タッチパネルでは、ユーザーによるタッチ操作やスクロール操作に応じてタッチパネルシートから電圧を出力し、タッチ信号やスクロール信号をメインＣＰＵ及びその周辺回路４に送る。メインＣＰＵ及びその周辺回路４では、タッチ信号やスクロール信号を位置座標へと変換して、表示部１０における表示座標と合わせることで、画面のタッチ操作を可能としている。
【００３９】
なお、入力部１１としては、以上のようなタッチパネル以外にも、各種のハードボタンが設けられている。具体的には、地図の縮小表示を行う広域ボタンや、地図の拡大表示を行う詳細ボタンなどが液晶ディスプレイの周囲に配置されている。
【００４０】
さらに、メインＣＰＵ及びその周辺回路４にはＨＤＤ制御部１２と、ＦＭ多重受信・処理部１３が設置されている。このうち、また、ＦＭ多重受信・処理部１３は、ＦＭ放送波を受信してこの放送波からＶＩＣＳ情報など所望のデータを取り出す処理を行う部分である。
【００４１】
ＨＤＤ制御部１２は、ハードディスク（大容量記憶装置）に記録されたナビゲーションプログラムなど各種データをデータベースから読み出す手段であり、データベースには経路探索用の道路データを含む地図情報等が格納されている。データベースに格納された地図情報には、地図上の地点に関する各種の地点情報が含まれている。
【００４２】
上述のデータの格納場所は、種々の記憶媒体を利用可能であって、一部若しくは全部をどの記憶媒体に格納するかは、自由に設計可能である。したがって、メインプログラムと共にナビゲーションシステムのインタフェース用データの一部を、ＲＯＭ５にあらかじめ格納しておいてもよい。また、ハードディスクを用いる構成以外にも、ＣＤ−ＲＯＭ制御部、ＤＶＤ−ＲＯＭ制御部等がＣＤ−ＲＯＭ、ＤＶＤ−ＲＯＭから読み出したデータを利用する構成であっても良い。
【００４３】
（２）本実施形態の構成
続いて、本実施形態の特徴的な構成について説明する。メインＣＰＵ及びその周辺回路４に組み込まれる仮想的回路としては、図２に示すように、スクロール処理部２０、スクロールマーク表示部２１、拡大縮小表示処理部２２、地点情報マーク表示部２３、地点情報表示部２４がある。これらの仮想的回路はいずれも、一般的な表示制御回路によって実現される。また、拡大縮小表示処理部２２及び地点情報表示部２４にはダブルクリック操作を判定するためのタイマー２７が接続されている。
【００４４】
スクロール処理部２０は、入力部１１であるタッチパネル上をユーザーが指等を滑らせることで出力されるスクロール信号を受け取り、表示部１０に表示された地図をスクロールする部分である。また、スクロール処理部２０は、前記スクロールマーク２５が表示された場合、これを表示部１０の中心に移動させるスクロール処理を行うように構成されている。スクロールマーク表示部２１は、タッチパネル上の任意地点に対しユーザーがタッチすると、入力部１１からタッチ信号を受け取り、この地点に前記スクロールマーク２５を表示する部分である。
【００４５】
拡大縮小表示処理部２２は、ユーザー操作に基づいて地図の拡大又は縮小処理を行って表示部１０に表示する部分である。より詳しくは、拡大縮小表示処理部２２は、広域ボタン又は詳細ボタンの押圧操作によって地図の拡大又は縮小処理を行うように構成されている。
【００４６】
さらに、拡大縮小表示処理部２２は、ユーザー操作がタッチパネルに対するダブルクリック操作であると判断した場合に、ダブルクリックされた地点を中心にして地図の拡大表示を行うようになっている。なお、ダブルクリックされた時の拡大サイズは、従来からある拡大ボタンの１回分の操作時と同じサイズに設定されている。
【００４７】
拡大縮小表示処理部２２では、タイマー２７の計時時間の長さに従って、ユーザー操作がダブルクリック操作か、あるいはシングルクリック操作かを判断している。すなわち、タイマー２７は、タッチパネル上の任意地点に対しユーザーがタッチすると、入力部１１からタッチ信号を受け取って始動し、入力部１１から２度目のタッチ信号を受け取ると停止するようになっている。
【００４８】
この時のタイマー２７の計時した時間が予め設定された時間以下であり、且つ２回のタッチ信号の位置座標が所定の誤差の範囲以内で合致した場合、拡大縮小表示処理部２２は、ユーザーによる２回の連続したタッチ操作をダブルクリック操作であると判断するように構成されている。
【００４９】
地点情報マーク表示部２３は、地点情報に対応する地点情報マーク２８（図９参照）を表示部１０に表示する部分である。地点情報表示部２４は、拡大縮小表示処理部２２による地図の拡大表示に際して、ユーザーがダブルクリックした地点の近傍に地点情報マーク２８が存在するかどうかを判断した場合に、地図の拡大表示と同時に地点情報マーク２８に対応した地点情報（図１０参照）を表示部１０に表示する部分である。なお、地点情報に関しては、地図の拡大表示が予め設定された拡大率を超えた場合に限り、表示がなされるように構成されている。
【００５０】
（地図拡大表示の処理フロー）
次に、本実施形態による地図の拡大表示処理について、図３のフローチャート及び図４〜図７の説明図を用いて説明する。表示部１０において地図を表示した状態で（Ｓ１０１、図４参照）、ユーザーが表示画面の任意の地点に対しタッチすると（Ｓ１０２）、入力部１１はタッチ信号をメインＣＰＵ及びその周辺回路４のスクロールマーク表示部２１に送り、スクロールマーク表示部２１はタッチした地点にスクロールマーク２５を表示する（Ｓ１０３、図５参照）。
【００５１】
そして、スクロール処理部２０は、スクロールマーク２５が表示部１０の中心に移動するようにスクロール処理を行い、表示画面の中心がユーザーのタッチした位置に移動する（Ｓ１０４、図６参照）。また、タイマー２７は入力部１１からのタッチ信号を受けてカウントを開始する（Ｓ１０５）。
【００５２】
続いて、ユーザーが表示画面に対し再度タッチすると（Ｓ１０６）、入力部１１はタッチ信号をメインＣＰＵ及びその周辺回路４に送り、タイマー２７は入力部１１からの２度目のタッチ信号を受けてカウントを終了する。ここで、拡大縮小表示処理部２２はタイマー２７の計時時間が所定時間の範囲以内かどうか（Ｓ１０７）、さらに２回のタッチ信号の位置座標が合致しているかどうかを判断する（Ｓ１０８）。
【００５３】
タイマー２７の計時時間が所定時間の範囲以内であり（Ｓ１０７のＹｅｓ）、且つ２回のタッチ信号の位置座標が所定の誤差の範囲以内で合致していれば（Ｓ１０８のＹｅｓ）、拡大縮小表示処理部２２は、２回の連続したタッチ操作をダブルクリック操作であると判断する（Ｓ１０９）。したがって、拡大縮小表示処理部２２がユーザーのクリックした位置を中心として地図の拡大表示を行う（Ｓ１１０、図７参照）。
【００５４】
また、タイマー２７の計時時間が所定時間を超えた場合（Ｓ１０７のＮｏ）、及び２回のシングルクリック信号の位置座標が所定の範囲内に収まらなければ（Ｓ１０８のＮｏ）、拡大縮小表示処理部２２は、２回の連続したタッチ操作はそれぞれ独立していると判断して、２度目にユーザーがタッチした位置へ画面をスクロールして通常動作へと移行する（Ｓ１１１、表示画面としては前記図６と同じ）。このとき、スクロールマーク表示部２１はタッチした地点にスクロールマーク２５を表示したままで、地図の拡大表示は行うことなく、次の操作待ち状態となる。
【００５５】
（地点情報表示の処理フロー）
さらに、本実施形態による地図の地点情報表示処理について、図８のフローチャート及び図９、図１０の説明図を用いて説明する。表示部１０において地図上に地点情報に対応した地点情報マーク２８（図９ではホテルのアイコン）を表示した状態で（Ｓ２０１）、ユーザーのダブルクリック操作により地図の拡大表示がなされると（Ｓ２０２）、地点情報表示部２４は、拡大表示された地図上に地点情報マーク２８が存在するかどうかを確認する（Ｓ２０３）。なお、地図の拡大表示に関しては、上記の地図拡大表示処理フローと同様である。
【００５６】
ここで、拡大表示された地図上に地点情報マーク２８が存在する場合（Ｓ２０３のＹｅｓ）、地点情報マーク２８に対応した地点情報（図１０ではホテルの名称、住所、電話番号）を表示部１０に表示する（Ｓ２０４）。つまり、地図の拡大表示と同時に、地点情報マーク２８の地点情報を表示部１０に表示する。また、拡大表示された地図上に地点情報マーク２８が存在しなければ（Ｓ２０３のＮｏ）、地点情報マーク２８に対応した地点情報は表示部１０に表示させることなく、処理は終了する。
【００５７】
（３）本実施形態の作用効果
以上のような本実施形態では、ユーザーがタッチパネル上の任意の地点をダブルクリックすれば、スクロールマーク表示部２１がタッチされた地点にスクロールマーク２５を表示部１０に表示し、表示されたスクロールマーク２５が表示画面の中心に移動した上で、地図の拡大表示を連続的に実行することができる。したがって、ユーザー自身が拡大したい地点を表示画面の中央付近にまでスクロールし、続いて拡大ボタンを操作するといった操作を省くことができ、使い勝手が良好である。
【００５８】
また、本実施形態では、ダブルクリック操作ではなく、シングルクリックであるタッチ操作によっても、スクロールマーク表示部２１がスクロールマーク２５を表示することが可能である。この場合もスクロール処理部２０はスクロールマーク２５を表示画面中心までスクロールさせるので、ユーザーはスクロールマーク２５の位置を確認しながら、ダブルクリック操作を確実に行うことができる（図１１参照）。
【００５９】
さらに、ユーザーが万が一、ダブルクリック操作に失敗して、表示画面上を指が滑ってしまい、地図の拡大表示処理ではなく、スクロール処理が実行されたとしても、スクロールマーク２５の表示は継続している。このため、ユーザーの意に反して画面がスクロールされても、ユーザーは拡大を希望した地点を見失う心配がなく、落ち着いてダブルクリックの再操作を行うことができる。
【００６０】
しかも、本実施形態では、スクロールマーク２５を複数の矢印マークから構成したので、直感的なスクロール操作が可能であり、且つクリック操作の対象面積が広がり、ダブルクリック操作を行い易い。また、拡大地図にてユーザーが目指す地点の表示が小さく、そこから外れた地点をユーザーがタッチしてしまったとしても、スクロールマーク２５を表示したことで、拡大したい範囲の確認が可能である。すなわち、スクロールマーク２５を目印としてクリックする位置を修正することができる。
【００６１】
以上のような本実施形態によれば、走行中の車内等、液晶ディスプレイやユーザー自身に振動が加わるといった不安定な操作環境であっても、ユーザーが拡大表示を希望する地点に正確なダブルクリック操作を行うことが可能である。このため、本実施形態は、車載用ナビゲーションシステムに組み込まれた場合にＰＣや携帯情報機器と同程度の優れた使用感を得ることができ、車載用ナビゲーションシステムに好適である。
【００６２】
また、本実施形態では、ユーザーのダブルクリック操作により拡大縮小表示処理部２２が地図の拡大表示を実施した場合に、拡大表示された地図上に地点情報マークが存在すれば、この地点情報マーク２８に対応した地点情報を自動的に表示することができる。これにより、ユーザーは、ダブルクリック操作を行った地点の周辺環境について、その場所にはどういったものがあるのか、といった詳しい情報を、表示された地点情報から把握することができる。
【００６３】
しかも、ユーザーがダブルクリック操作を行わない限り、表示面積の小さい地点情報マークを表示するだけなので、表示部１０での表示情報量を絞り込んでおくことができる。しかも、地点情報の表示は、地図が一定以上の大きさに拡大されたから実施される。このため、地点情報によって表示部１０上の地図が見えにくくなるといった不具合を回避することができる。
【００６４】
（４）他の実施形態
なお、本発明は、以上の実施形態に限定されるものではなく、例えば、図１２に示すように、詳細ボタンをユーザーが押し下げることで地図の拡大表示を行うといった従来からの機能を併せ持つこともできる。
【００６５】
また、図１３、図１４に示すように、タッチ操作又はダブルクリック操作によるスクロールマーク２５の表示と同時に、地図の拡大処理が行われることを知らせるための拡大マーク２９並びに拡大範囲を知らせる拡大範囲マーク３０を表示するようにしても良い。このような実施形態により、さらなる操作性の向上を図ることができる。
【００６６】
なお、スクロールマーク２５のデザインの変形例としては、図１３、図１４に示すように、４方向の矢印マークから構成したもの等がある。また、拡大縮小表示処理手段における地図の拡大率は、自由に設定可能であって、ユーザーの好みやニーズに対応可能であり、地図表示性能の高品位化を進めることができる。
【００６７】
さらに、複雑な交差点や立体交差、ＥＴＣレーンを含めた高速道路の出口など、ユーザーが道に迷い易い地点に関しては、３Ｄイラスト等による立体的な画像情報が状況把握に有効である。そこで、地点情報マークに対するダブルクリック操作により、このような立体的な画像情報を表示するようにしても良い。
【符号の説明】
【００６８】
１…絶対位置方位検出部
２…相対方位検出部
３…車速検出部
４…メインＣＰＵ及びその周辺回路
５…ＲＯＭ
６…ＤＲＡＭ
７…ＳＲＡＭ
８…ＶＲＡＭ
９…ユーザーインターフェース部
１０…表示部
１１…入力部
１２…ＨＤＤ制御部
１３…ＦＭ多重受信・処理部
２０…スクロール処理部
２１…スクロールマーク表示部
２２…拡大縮小表示処理部
２３…地点情報マーク表示部
２４…地点情報表示部
２５…スクロールマーク
２６…地点情報
２７…タイマー
２８…地点情報マーク
２９…拡大マーク
３０…拡大範囲マーク
【図１】
2011141340.tif 000003
【図２】
2011141340.tif 000004
【図３】
2011141340.tif 000005
【図４】
2011141340.tif 000006
【図５】
2011141340.tif 000007
【図６】
2011141340.tif 000008
【図７】
2011141340.tif 000009
【図８】
2011141340.tif 000010
【図９】
2011141340.tif 000011
【図１０】
2011141340.tif 000012
【図１１】
2011141340.tif 000013
【図１２】
2011141340.tif 000014
【図１３】
2011141340.tif 000015
【図１４】
2011141340.tif 000016